(57)【特許請求の範囲】
【請求項１】
アラーム処理を含む生体情報のモニタリングの中断操作を行うための中断操作部と、
前記中断操作部が中断操作されたときに、前記生体情報のモニタリングを中断する制御部と、
を具備し、
前記制御部は、モニタリング対象である信号の入力の有無に基づいて、中断した前記モニタリングの再開を制御する、
生体情報モニター。
【請求項２】
アラーム処理を含む生体情報のモニタリングの中断操作を行うための中断操作部と、
前記中断操作部の中断操作に応じて、前記生体情報のモニタリングを中断する制御部と、
を具備し、
前記制御部は、前記中断操作の有無と、モニタリング対象である信号の入力の有無と、に基づいて、前記モニタリングの中断を制御する、
生体情報モニター。
【発明の詳細な説明】
【技術分野】
【０００１】
本発明は、生体情報モニターに関する。
【背景技術】
【０００２】
生体情報モニターは、心電図、血圧及び酸素飽和度などの生体情報を計測し、その計測値及び波形をディスプレイに一括表示することができる。生体情報モニターの例としては、病室などのベッドサイドに設置して使用されるベッドサイドモニターやナースステーションなどに設置して使用されるセントラルモニターなどがある。
【０００３】
生体情報モニターに表示された計測値及び波形を見ることで、医療従事者（医師及び看護師など）は、患者の容体を把握することができる。また、生体情報モニターは一般に、計測値の異常などが生じたときにアラーム音などにより異常を通知するアラーム機能を有するため、医療従事者は、患者の異常を即座に知ることができる。
【０００４】
特許文献１には、モニタリングの中断機能を備えた生体情報モニターが開示されている。この生体情報モニターは、生体情報をモニタリングしている患者が検査などで一時的に離床する場合には、不要なデータの取り込みや、誤アラームを防ぐため、モニタリングを中断するようになっている。特許文献１に開示された生体情報モニターは、患者が戻ってきたのにもかかわらず、モニタリングを再開するのを忘れ、患者の急変を見逃すことがないようにタイマー機能を備えている。すなわち、決められた時間までにモニターが再開しなかった場合は、このタイマー機能によって喚起音を鳴らすようになっている。
【先行技術文献】
【特許文献】
【０００５】
【特許文献１】特許第５２９０１０８号公報
【発明の概要】
【発明が解決しようとする課題】
【０００６】
ところが、モニタリングの中断機能はそもそも、患者が一時的に生体情報モニターから離れる間にモニタリングを中断するという機能であるのにもかかわらず、特許文献１のようにタイマーを用いた場合には、予定の時間になっても患者が戻らないときは、喚起音が鳴ってしまい、中断時間を延長するという煩わしい操作をしなくてはならない欠点がある。また、患者が予定の時間よりも早く戻ってきてかつモニタリングの再開を忘れてしまうと、喚起音が鳴るまでの間はモニタリングされていないというリスクが発生する欠点がある。
【０００７】
本発明は、以上の点を考慮してなされたものであり、本来の生体情報のモニタリング機能を損なうことのない中断処理を行うことができる、生体情報モニターを提供することを目的とする。
【課題を解決するための手段】
【０００８】
本発明の生体情報モニターの一つの態様は、
アラーム処理を含む生体情報のモニタリングの中断操作を行うための中断操作部と、
前記中断操作部が中断操作されたときに、前記生体情報のモニタリングを中断する制御部と、
を具備し、
前記制御部は、モニタリング対象である信号の入力の有無に基づいて、中断した前記モニタリングの再開を制御する。
【０００９】
本発明の生体情報モニターの一つの態様は、
アラーム処理を含む生体情報のモニタリングの中断操作を行うための中断操作部と、
前記中断操作部の中断操作に応じて、前記生体情報のモニタリングを中断する制御部と、
を具備し、
前記制御部は、前記中断操作の有無と、モニタリング対象である信号の入力の有無と、に基づいて、前記モニタリングの中断を制御する。
【発明の効果】
【００１０】
本発明によれば、本来の生体情報のモニタリング機能を損なうことのない中断処理を行うことができるようになる。
【図面の簡単な説明】
【００１１】
【図１】実施の形態に係る生体情報モニターの構成を示すブロック図
【図２】生体情報モニターを前面方向から見た外観図
【図３】実施の形態の中断処理の説明に供するフローチャート
【図４】従来の装置構成を用いた場合における、モニタリングしている患者に異常が生じた状況下での、中断操作とアラームとの関係を示す図
【図５】他の実施の形態の中断処理の説明に供するフローチャート
【発明を実施するための形態】
【００１２】
以下、本発明の実施の形態について、図面を参照して詳細に説明する。
【００１３】
図１は、本実施の形態の生体情報モニター１００の構成を示すブロック図である。生体情報モニター１００は、コネクタ部１０１を有する。コネクタ部１０１は、患者に装着された生体情報検出部を生体情報モニター１００に接続するためのコネクタである。コネクタ部１０１には生体情報測定装置群１１０が接続される。生体情報測定装置群１１０には、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５等の生体情報検出部などが含まれる。コネクタ部１０１は、生体情報測定装置群１１０と制御部１０２との間のインタフェースとして機能する。
【００１４】
制御部１０２は、記憶部１０３に記憶されたプログラムを実行することで、生体情報モニター１００の全体の制御、及び、所定の計測処理を実行する。この計測処理によって、制御部１０２は、コネクタ部１０１に接続された生体情報測定装置群１１０を用いて患者の生体情報を計測する。なお、上記生体情報測定装置群１１０を用いた各種生体情報の計測方法については従来周知のものを適用可能であるため、ここではその詳細な説明を省略する。
【００１５】
ディスプレイ１０４は、制御部１０２の計測処理によって得られた生体情報を、計測値又は波形の形式で表示する。ディスプレイ１０４は、例えばタッチパネル付き液晶表示器であり、生体情報を表示する表示機能を有するだけでなく、操作者による入力操作を受け付ける入力部としての機能も有する。具体的には、ディスプレイ１０４は、操作者によるタッチ操作に従って、ディスプレイ１０４の表示形式や生体情報モニター１００のモード変更などを行うことができる。
【００１６】
さらに、生体情報モニター１００は操作ボタン１２０を有する。操作ボタン１２０は、図２に示すように、生体情報モニター１００の前面のディスプレイ１０４の近傍に設けられている。なお、図２は、生体情報モニター１００を前面方向から見た外観図である。生体情報モニター１００の筐体上部には、アラームインジケータ１０５が設けられている。アラームインジケータ１０５は、制御部１０２（図１）によって生体情報に異常が生じたと検知されたときに例えば赤色に発光するようになっている。
【００１７】
操作ボタン１２０は、複数のボタンにより構成されている。操作ボタン１２０としては、例えば電源スイッチ１２１や、測定開始／停止ボタン１２２、データ記録ボタン１２３、アラーム音停止ボタン１２４などが含まれる。
【００１８】
本実施の形態の場合、操作ボタン１２０の一つとして、中断ボタン１２５が設けられている。中断ボタン１２５が押圧操作されると、生体情報モニター１００は、生体情報のモニタリングを中断する。
【００１９】
ここで、本実施の形態の生体情報モニター１００におけるモニタリングの中断とは、制御部１０２による計測処理の中断、ディスプレイ１０４への生体情報の表示の中断、アラームの中断、及び又は、生体情報の記録の中断を意味する。
【００２０】
本実施の形態においては、ユーザーによってモニタリングの中断操作が行われた場合でも、制御部１０２は、コネクタ部１０１への各生体情報の入力の監視（センシング）は中断せずに行うようになっている。そして、制御部１０２は、中断ボタン１２５が押圧操作された後に、いずれかの生体情報が入力されたことを検知すると、モニタリング処理を再開するようになっている。
【００２１】
生体情報モニター１００は、通信部１０６を介して他の生体情報モニターと通信することができる。具体的には、生体情報モニター１００は、取得した生体情報や自装置の状態などを通信部１０６を介してセントラルモニターなどに送信可能である。また、セントラルモニターからの制御信号を通信部１０６を介して入力可能である。よって、生体情報モニター１００の中断処理は、セントラルモニターによる中断制御信号を入力することで行うこともできる。
【００２２】
図３に、本実施の形態による中断処理の処理手順を示す。制御部１０２は、ステップＳ０で処理を開始すると、ステップＳ１で通常のモニタリング処理を行い、続くステップＳ２で中断操作が有ったか否か判断する。具体的には、制御部１０２は、中断ボタン１２５が押圧操作されたか或いはセントラルモニターから中断制御信号が入力されたかを検知することで、中断操作が有ったか否か判断する。中断操作が無いと判断した場合（ステップＳ２；ＮＯ）、ステップＳ１に戻って通常のモニタリング処理を続行する。
【００２３】
これに対して、制御部１０２は中断操作が有ったと判断した場合（ステップＳ２；ＹＥＳ）、ステップＳ３に移って中断処理を行う。具体的には、上述したように、生体情報の計測処理の中断、ディスプレイ１０４への生体情報の表示の中断、アラームの中断、及び又は、生体情報の記録の中断を行う。
【００２４】
次に、制御部１０２は、ステップＳ４において、コネクタ部１０１にいずれかの生体情報の入力が有るか否か判断する。制御部１０２は、いずれの生体情報の入力も無いと判断した場合（ステップＳ４；ＮＯ）、ステップＳ３に戻って中断処理を続行する。
【００２５】
これに対して、制御部１０２は、いずれかの生体情報が入力されていると判断した場合（ステップＳ４；ＹＥＳ）、ステップＳ５に移ってモニタリングの再開処理を行って、ステップＳ１に移る。
【００２６】
本実施の形態によれば、生体情報測定装置群１１０からのモニタリング対象である生体情報の信号の入力の有無に基づいて、中断されたモニタリングの再開を制御するようにしたことにより、患者が生体情報モニターに戻って生体情報測定装置群１１０のいずれかを装着し次第、自動的にモニタリングを再開できるようになり、この結果、本来の生体情報のモニタリング機能を損なうことのない中断処理を行うことができるようになる。
【００２７】
つまり、本実施の形態の生体情報モニター１００においては、患者が戻る予定時間を推測してモニタリングの中断時間を設定しなくても、患者が離床するときにモニタリングを中断するだけで、患者が戻り次第、自動的にモニタリングを再開できる。また、患者が予定時間に戻らなくても、中断時間を延長する手間を省くことができ、さらに、予定時間よりも早く戻ってきたときに、再開を忘れ一時的にモニタリングされないというリスクを解消できる。
【００２８】
図４は、従来の装置構成を用いた場合における、モニタリングしている患者に異常が生じた状況下での、中断操作とアラームとの関係を示す。ケース１は、ベッドサイドモニター及びセントラルモニターの両方で中断操作が行われた場合であり、この場合にはベッドサイドモニター及びセントラルモニターでアラームが出力されない。ケース２は、ベッドサイドモニターで中断操作が行われ、セントラルモニターで中断操作が行われなかった場合であり、この場合にはベッドサイドモニターではアラームが出力されず、セントラルモニターではアラームが出力される。ケース３は、ベッドサイドモニターで中断操作が行われず、セントラルモニターで中断操作が行われた場合であり、この場合にはベッドサイドモニターではアラームが出力され、セントラルモニターではアラームが出力されない。ケース４は、ベッドサイドモニター及びセントラルモニターの両方で中断操作が行われない場合であり、この場合にはベッドサイドモニター及びセントラルモニターでアラームが出力される。
【００２９】
つまり、ケース１は、例えば患者が離床してベッドサイドモニターとセントラルモニターの両方でモニタリングを中断した場合であり、ケース２は、例えば患者が離床した際ベッドサイドモニターでのみモニタリングを中断した場合であり、ケース３は、例えば患者が戻ってベッドサイドモニターでのみモニタリングを再開し、セントラルモニターで再開を忘れた場合であり、ケース４は、例えば患者が離床していない場合または患者が戻ってベッドサイドモニターとセントラルモニターの両方でモニタリングを再開している場合である。
【００３０】
一番問題となるのは、ケース３の場合である。ケース３の場合には、患者の容体が悪くなったにもかかわらず、それがセントラルモニターで出力されないため、医療従事者が患者の下に急行することができなくなってしまう。このように、ベッドサイドモニターとセントラルモニターにおいて、独自に中断操作を行うことができるシステムを採用した場合には、容体が悪くなった患者への対応が遅れるおそれがある。しかし、中断操作されたセントラルモニターにモニタリング対象である生体情報の信号が入力されたときに、セントラルモニターのモニタリングを再開するようにすれば、ケース３のような不都合を回避できる。本発明は、セントラルモニターに適用した場合にも大きな効果を得ることができる。つまり、本発明の生体情報モニターにはセントラルモニターも含まれる。
【００３１】
因みに、従来は、生体情報モニター（ベッドサイドモニター）で患者がモニタリングを行っているにもかかわらず、セントラルモニターで誤ってモニタリングを中断してしまうこともあった。実施の形態の生体情報モニター１００を用いれば、生体情報が入力されると自動的にモニタリングが再開されるので、もし誤ってモニタリングの中断操作を行ってしまっても、生体情報が入力されている限りモニタリングは再開される。よって、誤った中断操作によってモニタリングが中断されるといったリスクを回避できる。
【００３２】
なお上述の実施の形態では、図３の処理を行うことで、中断されたモニタリング機能の再開を制御した場合について述べたが、図５の処理を行うことで、中断操作の有無と、生体情報測定装置からの信号の入力の有無と、に基づいて、モニタリング機能の中断を制御するようにしてもよい。具体的には、中断操作が有り（ステップＳ２；ＹＥＳ）、かつ、いずれの生体情報の入力も無い場合（ステップＳ４；ＮＯ）にのみ中断処理を行うようにする。換言すれば、中断操作されたとしても、いずれかの生体情報が入力されている場合（ステップＳ４；ＹＥＳ）には、中断処理を行わないようにする。このようにすれば、ユーザーによって誤ってモニタリングの中断操作が行われた場合でも、中断操作を無効にすることができるようになる。
【００３３】
ここで、生体情報モニター１００においては、生体情報測定装置群１１０の意図しない電極外れ（コネクタ外れといってもよい）のことなども想定して、生体情報測定装置群１１０からの生体情報の入力の有無のみによってモニタリングの中断を全て自動的に制御することはしないようにしている。つまり、生体情報測定装置群１１０から生体情報の入力が無い場合に、自動的に中断制御を行ってしまうと、意図しない電極外れが原因となっているときにモニタリングが中断されてしまい不都合である。本発明は、このような点を見据えた上で、中断の開始は中断操作部によって行い、中断の再開のみを生体情報測定装置群１１０から生体情報の入力に基づいて行うようになっている。
【００３４】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００３５】
本発明は、モニタリングの中断機能を有する生体情報モニターに広く適用できる。
【符号の説明】
【００３６】
１００  生体情報モニター
１０１  コネクタ部
１０２  制御部
１０３  記憶部
１０４  ディスプレイ
１０５  アラームインジケータ
１０６  通信部
１１０  生体情報測定装置群
１２５  中断ボタン
【図１】
0006516530.tif 000002
【図２】
0006516530.tif 000003
【図３】
0006516530.tif 000004
【図４】
0006516530.tif 000005
【図５】
0006516530.tif 000006